(57)【要約】【課題】簡単な構成で、繰出された測定テープを安定的に自動ロックし、且つロック解除も円滑になし得るロック装置、更には、ロック位置に安定維持し得るロック装置を備えた新規な巻尺を提供することを目的とする。【解決手段】巻取付勢手段４の付勢力に抗して繰出された測定テープ２を繰出位置にロック保持するロック６装置を備えた巻尺Ａであって、測定テープ２の繰出時にはロックレバー７の先端作用部７ｂに測定テープ２が摺接してその繰出が許容され、測定テープ２の繰出後に繰出力が付加されなくなった場合は、ロックレバー７が弾性部材８ｂの付勢力によって巻取り方向に揺動して測定テープ２をロックレバー７の先端作用部７ｂと本体ケース１の内壁部９ａとの間に緊合させてロックするようにしたことを特徴とする。【選択図】図１
2007057339.tif 000002
【特許請求の範囲】
【請求項１】
本体ケースと、該本体ケース内に巻取及び繰出自在に収納された測定テープと、該測定テープを巻取り付勢する付勢手段と、該付勢手段の付勢力に抗して繰出された測定テープを繰出位置にロック保持するロック装置とを備えた巻尺であって、
上記ロック装置は、ロックレバーと、該ロックレバーに連繋されたロック解除操作ボタンとよりなり、該ロックレバーは、上記本体ケースの測定テープ繰出部において、揺動可能に保持され且つ弾性部材によって常時測定テープの巻取方向に付勢され、測定テープの繰出時にはロックレバーの先端作用部に測定テープが摺接してその繰出が許容され、測定テープの繰出後に繰出力が付加されなくなった場合は、ロックレバーが上記弾性部材の付勢力によって巻取り方向に揺動して測定テープをロックレバーの先端作用部と本体ケースの内壁部との間に緊合させてロックするようにしたことを特徴とする巻尺。
【請求項２】
請求項１に記載の巻尺において、
前記ロック解除操作ボタンは、その押圧操作によって前記ロックレバーを測定テープの繰出方向に揺動させて前記ロックを解除するものであって、このロック解除によって、測定テープは前記巻取付勢力によって自動的に巻取られるようにしたことを特徴とする巻尺。
【請求項３】
本体ケースと、該本体ケース内に巻取及び繰出自在に収納された測定テープと、該測定テープを巻取り付勢する付勢手段と、該付勢手段の付勢力に抗して繰出された測定テープを繰出位置にロック保持するロック装置とを備えた巻尺であって、
上記ロック装置は、測定テープの繰出し時はその繰出を許容し、測定テープの繰出後に繰出力が付加されなくなった場合は、測定テープを自動的にロックして巻取りを阻止し繰出位置に維持する自動ロック手段と、手操作によってロック操作された時には、測定テープを繰出方向及び巻取方向に移動不能にロックする完全ロック手段と、上記手操作によるロック操作及び手操作によるロック解除操作が可能とされ、ロック解除操作がなされた時には上記いずれのロックも解除し得るロック及びロック解除ボタンとよりなることを特徴とする巻尺。
【請求項４】
請求項３に記載の巻尺において、
前記ロック装置は、ロックレバーと、該ロックレバーに連繋されたロック及びロック解除操作ボタンとよりなり、
上記ロックレバーは、上記本体ケースの測定テープ繰出部において、揺動可能に保持され且つ弾性部材によってその先端作用部が常時繰出部の測定テープの表面に弾接するよう付勢され、
前記自動ロック手段は、測定テープの繰出時には上記先端作用部が測定テープに摺接して測定テープの繰出を許容し、測定テープの繰出後に繰出力が付加されなくなった場合は、ロックレバーが上記弾性部材の付勢力によって揺動して測定テープをロックレバーの先端作用部と本体ケースの内壁部との間に緊合させてロックするよう構成され、
前記完全ロック手段は、上記操作ボタンを反解除方向に操作した時、該操作ボタンとロックレバーの基端部とのカム作用によりロックレバーの先端作用部をして繰出部の測定テープの表面を押圧し、測定テープを本体ケースの内壁部との間に緊合維持して繰出及び巻取不能にロックするよう構成されていることを特徴とする巻尺。
【請求項５】
請求項３に記載の巻尺において、
前記ロック装置は、ロックレバーと、該ロックレバーに連繋されたロック及びロック解除操作ボタンとよりなり、
上記ロックレバーは、上記本体ケースの測定テープ繰出部において、揺動可能に保持され且つ弾性部材によって常時測定テープの巻取方向に付勢され、この付勢によってテープ巻取リールのリールガイド板の周縁に弾接する当接部を備え、
前記自動ロック手段は、測定テープの繰出時には該当接部がリールガイド板の周縁に摺接して測定テープの繰出に伴うリールガイド板の回転を許容し、測定テープの繰出後に繰出力が付加されなくなった場合は、ロックレバーが上記弾性部材の付勢力によって巻取り方向に揺動して当接部がリールガイド板の周縁に弾接緊合してリールガイド板の回転をロックするよう構成され、
前記完全ロック手段は、上記操作ボタンを反解除方向に操作した時、ロックレバーの先端作用部が繰出部の測定テープの表面に押圧され、測定テープを本体ケースの内壁部との間に緊合維持して繰出方向及び巻取方向に移動不能にロックするよう構成されていることを特徴とする巻尺。
【請求項６】
請求項５に記載の巻尺において、
前記ロックレバーの当接部には、弾性摩擦部材が添着されていることを特徴とする巻尺。
【請求項７】
請求項１、２、４乃至６のいずれかに記載の巻尺において、
前記ロックレバーの先端作用部には、弾性摩擦部材が添着されていることを特徴とする巻尺。
【請求項８】
請求項１、２、４乃至６のいずれかに記載の巻尺において、
前記ロックレバーの先端作用部の下面幅方向中央部には、切欠凹部が形成されていることを特徴とする巻尺。
【発明の詳細な説明】
【技術分野】
【０００１】
本発明は、本体ケース内に測定テープを巻取り或いは繰出し可能に収納し且つ測定テープを繰出位置にロック保持し得るロック装置を備えた巻尺に関する。
【背景技術】
【０００２】
従来、鋼板、織布、プラスチック材等からなる長尺の測定テープを本体ケース内に巻取り収納し、使用時にはその繰出し口から所望長さに繰出せるようにした巻尺が、建築現場等の産業分野や一般家庭等において広く用いられている。上記巻取りは、手巻き式の他に、ゼンマイバネの戻り力を利用した自動巻取り方式が多く採用されている。また、鋼板製の測定テープとしては、幅方向に湾曲し（コンベックス）、繰出された時にはその湾曲形状への形状記憶性により直線状を維持し得るようにしたものが採用されている。上記のような自動巻取り方式の巻尺の使用に際しては、ゼンマイバネの戻り力（巻取付勢力）に抗して測定テープが所望長さに繰出される。この時、測定テープには常時巻取付勢力が作用しているから、測定テープを繰出した後、手放すと自動的に巻取られてしまう。従って、この種の自動巻取り方式の巻尺では、何等かのロック手段が付設され、測定テープを所望の繰出し位置でロック維持するようになされている。
【０００３】
従来、上記ロック手段としては、操作ボタンをスライド操作し、該操作ボタンに連動するロック部材によって測定テープを拘束しロックするような機構が採用されていた。しかし、このような機構の場合、測定テープを繰出した上で、操作ボタンのロック操作も必要とされる為、操作上の煩雑感があることは否めなかった。そこで、測定テープを繰出して手放すだけで自動的にロックされ、ロック解除用操作ボタンを操作すると自動的に測定テープが巻取られるようにした機構も開発され、実用化されるようになった。特許文献１には、このような自動ロック装置を備えた巻尺の例が開示されている。
【特許文献１】国際公開第０３／０６４９６４号パンフレット
【発明の開示】
【発明が解決しようとする課題】
【０００４】
上記特許文献１に開示された自動ロック装置は、ヒンジピンによって前後に揺動可能に支持されたロックレバーの揺動端に、シリンダーが該ロックレバーの直交方向に摺動可能に連結され、更に、シリンダーの先端には楔形状のストッパが固着され、該ストッパとロックレバーとの間にコイルスプリングが弾装されてなる。上記ストッパは、繰出部に位置する測定テープの直線部分と、巻取ボビンに巻取られた測定テープの巻回最外周部とに接するように、上記コイルスプリングによって常時付勢されている。そして、測定テープを繰出す際には、測定テープがストッパの表面に摺接し、その繰出が許容される。そして、所望の繰出し位置で測定テープを手放すと、巻取付勢力により測定テープが巻き戻されようとするが、上記楔形状のストッパが、上記コイルスプリングの付勢力によって、測定テープの上記直線部と巻回最外周部とにより形成される略三角形状部に食い込むように変位し、その楔的作用によって測定テープが拘束され、その巻き戻しが阻止（ロック）される。このロック解除は、ロックレバーの反揺動端側を押圧操作し、その反作用を利用して、ストッパの上記略三角形状部への食い込みを緩めることによってなされる。
【０００５】
上記ストッパの略三角形状部への食い込みは、コイルスプリングの付勢力に、測定テープの上記直線部及び巻回最外周部に作用する巻取付勢力が相乗されるから、食い込み力が強く安定したロック維持がなされる。しかし、逆に食い込み力が強い為に、上記のようなロック解除操作をしてもストッパの上記略三角形状部への食い込み緩和が円滑になされないことがある。また、測定テープの巻回最外周部は、測定テープの繰出し長さによって径が変化し、上記略三角形状部の形状も変化するから、この部分への食い込み状態が一定せず、測定テープの繰出し長さによってロック状態が変化することが予想される。更に、ロックレバー、シリンダー、コイルスプリング及びストッパ等の複数の部品を準備し組立てる必要がある為、部品点数が多くなり、コスト高の原因となることも予想されるところであった。
【０００６】
加えて、上記自動ロック装置の場合、自動ロックされている状態でも、測定テープの繰出方向はフリーであるから、測定作業中、本体ケース側に負荷（本体ケース側の自重による負荷も含む）がかかった状態で、不意に測定テープを持ち上げ或いは強く引張ったりすると、測定テープが繰出されてしまい、所望のロック位置がずれ、これが作業効率を妨げる原因になることもあった。
【０００７】
本発明は、上記実情に鑑みなされたものであり、簡単な構成で、繰出された測定テープを安定的に自動ロックし、且つロック解除も円滑になし得るロック装置、更には、ロック位置に安定維持し得るロック装置を備えた新規な巻尺を提供することを目的としている。
【課題を解決するための手段】
【０００８】
請求項１の発明に係る巻尺は、本体ケースと、該本体ケース内に巻取及び繰出自在に収納された測定テープと、該測定テープを巻取り付勢する付勢手段と、該付勢手段の付勢力に抗して繰出された測定テープを繰出位置にロック保持するロック装置とを備えた巻尺であって、上記ロック装置は、ロックレバーと、該ロックレバーに連繋されたロック解除操作ボタンとよりなり、該ロックレバーは、上記本体ケースの測定テープ繰出部において、揺動可能に保持され且つ弾性部材によって常時測定テープの巻取方向に付勢され、測定テープの繰出時にはロックレバーの先端作用部に測定テープが摺接してその繰出が許容され、測定テープの繰出後に繰出力が付加されなくなった場合は、ロックレバーが上記弾性部材の付勢力によって巻取り方向に揺動して測定テープをロックレバーの先端作用部と本体ケースの内壁部との間に緊合させてロックするようにしたことを特徴とする。
【０００９】
本発明においては、請求項２の発明のように、前記ロック解除操作ボタンを、その押圧操作によって前記ロックレバーを測定テープの繰出方向に揺動させて前記ロックを解除するものとし、このロック解除によって、測定テープは前記巻取付勢力によって自動的に巻取られるようにすることができる。
【００１０】
また、請求項３の発明に係る巻尺は、本体ケースと、該本体ケース内に巻取及び繰出自在に収納された測定テープと、該測定テープを巻取り付勢する付勢手段と、該付勢手段の付勢力に抗して繰出された測定テープを繰出位置にロック保持するロック装置とを備えた巻尺であって、上記ロック装置は、測定テープの繰出し時はその繰出を許容し、測定テープの繰出後に繰出力が付加されなくなった場合は、測定テープを自動的にロックして巻取りを阻止し繰出位置に維持する自動ロック手段と、手操作によってロック操作された時には、測定テープを繰出方向及び巻取方向に移動不能にロックする完全ロック手段と、上記手操作によるロック操作及び手操作によるロック解除操作が可能とされ、ロック解除操作がなされた時には上記いずれのロックも解除し得るロック及びロック解除ボタンとよりなることを特徴とする。
【００１１】
そして、請求項３の発明に係る巻尺においては、請求項４の発明のように、前記ロック装置は、ロックレバーと、該ロックレバーに連繋されたロック及びロック解除操作ボタンとよりなり、上記ロックレバーは、上記本体ケースの測定テープ繰出部において、揺動可能に保持され且つ弾性部材によってその先端作用部が常時繰出部の測定テープの表面に弾接するよう付勢され、前記自動ロック手段は、測定テープの繰出時には上記先端作用部が測定テープに摺接して測定テープの繰出を許容し、測定テープの繰出後に繰出力が付加されなくなった場合は、ロックレバーが上記弾性部材の付勢力によって揺動して測定テープをロックレバーの先端作用部と本体ケースの内壁部との間に緊合させてロックするよう構成され、前記完全ロック手段は、上記操作ボタンを反解除方向に操作した時、該操作ボタンとロックレバーの基端部とのカム作用によりロックレバーの先端作用部をして繰出部の測定テープの表面を押圧し、測定テープを本体ケースの内壁部との間に緊合維持して繰出及び巻取不能にロックするよう構成されているものとすることができる。
【００１２】
或いは、請求項５の発明のように、前記ロック装置は、ロックレバーと、該ロックレバーに連繋されたロック及びロック解除操作ボタンとよりなり、上記ロックレバーは、上記本体ケースの測定テープ繰出部において、揺動可能に保持され且つ弾性部材によって常時測定テープの巻取方向に付勢され、この付勢によってテープ巻取リールのリールガイド板の周縁に弾接する当接部を備え、前記自動ロック手段は、測定テープの繰出時には該当接部がリールガイド板の周縁に摺接して測定テープの繰出に伴うリールガイド板の回転を許容し、測定テープの繰出後に繰出力が付加されなくなった場合は、ロックレバーが上記弾性部材の付勢力によって巻取り方向に揺動して当接部がリールガイド板の周縁に弾接緊合してリールガイド板の回転をロックするよう構成され、前記完全ロック手段は、上記操作ボタンを反解除方向に操作した時、ロックレバーの先端作用部が繰出部の測定テープの表面に押圧され、測定テープを本体ケースの内壁部との間に緊合維持して繰出方向及び巻取方向に移動不能にロックするよう構成されているものとすることもできる。
【００１３】
そして、請求項５の発明において、請求項６の発明のように、前記ロックレバーの当接部には、弾性摩擦部材が添着されていることが望ましい。また、上記各発明において、請求項７の発明のように、前記ロックレバーの先端作用部には、弾性摩擦部材が添着されていることが望ましい。更に、請求項８のように、前記ロックレバーの先端作用部の下面幅方向中央部には、切欠凹部が形成されていることが望ましい。
【発明の効果】
【００１４】
請求項１の発明に係る巻尺においては、ロック装置が、本体ケースに対し測定テープの巻取軸と平行な支軸周りに揺動可能に支持されたロックレバーと、該ロックレバーに連繋されたロック解除操作ボタンとよりなるから、部品点数少なく構造が簡単で、製品コストの高騰を来たす懸念がない。また、測定テープの繰出時に、ロックレバーの先端作用部に測定テープが摺接してその繰出が許容され、測定テープの繰出後に繰出力が付加されなくなった場合、ロックレバーが弾性部材の付勢力により上記巻取り方向へ揺動し測定テープをロックするようにしているから、ロックの為の操作ボタンの煩わしい操作を必要とせずに自動的にロックがなされる。しかも、測定テープをロックレバーの先端作用部と本体ケースの内壁部との間に緊合させてロックするようにしているから、前記従来例のように、測定テープの直線部と巻回最外周部との略三角形状部にストッパが強く食い込んで、ロック解除が円滑になされないようなこともなく、更に、測定テープの巻回最外周部の径変化によってロック状態が変化するようなこともない。また、ロック解除操作ボタンを請求項２の発明のように構成すれば、ロック解除操作ボタンの押圧操作のみで測定テープのロック解除が簡易になされる。
【００１５】
更に、請求項３、請求項４或いは請求項５の発明のように、自動ロック手段と完全ロック手段とを備えたものとすれば、自動ロック手段による上記取扱上の至便さに加え、繰出ロック位置での安定維持がなされ、不意のロック位置の変動により作業効率が妨げられるようなこともない。また、請求項５の発明のように、自動ロックがロックレバーに設けられた当接部の測定テープ巻取用リールガイド板の周縁に対する弾接緊合によってなされるようにすれば、ロックレバーの先端作用部と接触テープとの擦れ合うような接触がないから、測定テープの表面に対するダメージが少なく、永い使用においても、目盛り等が付された塗装面の剥離が少なくなる。更に、請求項６の発明のように、当該当接部に弾性摩擦部材を添着するようにすれば、上記リールガイド板の周縁に対する弾接緊合時の衝撃を緩和し、自動ロック維持を確実になすと共にリールガイド板周縁部の毀損を生じさせることがない。
【００１６】
更にまた、請求項７の発明のように、ロックレバーの先端作用部に弾性摩擦部材を添着すれば、測定テープの繰出時におけるロックレバーの揺動を助長して繰出を円滑になし得ると共に、ロック時の測定テープに対する衝撃を緩和して目盛面の傷付き発生を抑制することもできる。また、請求項８の発明のように、ロックレバーの先端作用部の下面幅方向中央部に、切欠凹部を形成するようにすれば、ロックレバーの先端作用部と測定テープとの間に空間が形成される。特に、コンベックステープのように幅方向に湾曲している場合には、その中央部の凹曲部に異物が溜り易いが、このように空間が形成されていると、測定テープの引き戻し時に異物が緊合部に噛み込むことがなく、従って、異物による目盛面の傷付きも防止される。
【発明を実施するための最良の形態】
【００１７】
以下に本発明の最良の実施の形態について、図面に基づいて説明する。図１は本発明の巻尺の第１の実施形態を示す部分切欠横断平面図、図２は同巻尺における測定テープの繰出状態を示す同様図、図３は同繰出位置で測定テープを自動ロックした状態を示す同様図、図４は自動ロックの原理を示す概念図、図５は同巻尺におけるロック装置を示す図１のＸ線矢示部分断面図、図６は本発明の巻尺の第２の実施形態を示す部分切欠横断平面図、図７は同巻尺における測定テープの繰出状態を示す同様図、図８は同繰出位置で測定テープを自動ロックした状態を示す同様図、図９は同繰出位置で測定テープを完全ロックした状態を示す同様図、図１０は同巻尺におけるロック装置を示す図６のＹ線矢示部分断面図、図１１は本発明の巻尺の第３の実施形態を示す部分切欠横断平面図、図１２は同巻尺における測定テープの繰出状態を示す同様図、図１３は同繰出位置で測定テープを自動ロックした状態を示す同様図、図１４は同巻尺におけるロック装置を示す図１１のＺ線矢示部分断面図である。
【実施例１】
【００１８】
図１に示す巻尺Ａは、硬質合成樹脂等により成型された２つ割りの本体ケース１内に、目盛が付された長尺の測定テープ２を巻取軸３周りに巻取り及び繰出し自在に収納してなる。１ｈは、当該２つ割りの本体ケース１を相互に締結一体化させる為のビス孔である。測定テープ２は幅方向に湾曲した鋼板製のコンベックステープからなり、その基部側には、巻取軸３に基端部が固設されたゼンマイバネ（巻取付勢手段）４が連結され（図１では、測定テープ２とゼンマイバネ４との連結部分は省略されている。）、常時は巻取軸３の周りに弾性的に巻取付勢され、巻取ドラム（テープ巻取リール）５の周囲に巻装されている。５ａは、該巻取ドラム４を保持し、ゼンマイバネ４及び測定テープ２を整然と巻取るリールガイド板である。測定テープ２は、コンベックステープの湾曲形状への形状記憶特性により、繰出された時には直線状を維持し得ることは、従来公知のものと同様である。また、コンベックステープ以外の織布、プラスチック材等からなる長尺のテープも採用することができる。
【００１９】
測定テープ２の先端部には測定基準金具を兼ねるフック部材２ａが取付けられ、測定テープ２の本体ケース１内での収納状態では、繰出口１ａにこのフック部材２ａが露出係止されている。測定テープ２を繰出口１ａから繰出す際は、測定テープ２は上記ゼンマイバネ４の付勢弾力に抗して引出されるが、そのまま手放すとこの付勢弾力によって巻き戻されてしまうので、図例の巻尺では所望の繰出し位置に測定テープ２を静止させるロック装置６が組み付けられている。該ロック装置６は、ロックレバー７と、該ロックレバー７に連繋されたロック解除操作ボタン８とよりなり、いずれも硬質合成樹脂の成型体からなる。該ロックレバー７の上端基端部には軸部７ａが形成されている。
【００２０】
また、ロック解除操作ボタン８は、上記巻取軸３と平行な支軸８ａを介し、本体ケース１に対し該支軸８ａ周りに回動可能に支持され、且つ板バネ（弾性部材）８ｂによって支軸８ａを中心に常時時計方向に回転付勢されている。ロック解除操作ボタン８の下端には、上記軸部７ａを挿入保持するスリット８ｃが形成され、この挿入保持された状態の軸部７ａの両端は、本体ケース１に形成された円弧溝（曲率中心は支軸８ａの軸心）１ｂに挿通され、該円弧溝１ｂの長手方向に沿って摺動可能とされている。これにより、ロックレバー７とロック解除操作ボタン８とが連繋され、ロックレバー７は、上記本体ケース１の測定テープ繰出部１ｃにおいて、上記板バネ８ｂの弾力を受けて常時測定テープ２の巻取方向に揺動付勢されている。ロック解除操作ボタン８は本体ケース１の外部に露出し、手指による押圧操作が可能とされている。
【００２１】
上記ロックレバー７の先端作用部７ｂにはゴム等からなる弾性摩擦部材７ｃが添着されている。図１は、測定テープ２の先端フック部材２ａが繰出口１ａに係止され、ロックレバー７は板バネ８ｂの付勢弾力により支軸８ａを支点として時計回りに回動付勢され、且つ上記先端作用部７ｂは弾性摩擦部材７ｃをして測定テープ２の直線部２ｂの表面に軽く弾接されている状態を示す。弾性摩擦部材７ｃが測定テープ２の直線部２ｂの表面に弾接する部位に対応する本体ケース１には合成樹脂製の衝撃緩和部品（ショックアブソーバ）９が装着され、その表面に凹部９ａが形成されている。
【００２２】
図２は上記構成の巻尺Ａにおける測定テープ２の繰出状態を示し、同図の白抜矢示方向に測定テープ２を引出してゆくと、上記ロックレバー７の先端作用部７ｂに添着された弾性摩擦部材７ｃと測定テープ２の表面との摺接摩擦作用によって、ロックレバー７は板バネ８ｂの弾力に抗して図の２点鎖線位置から実線位置に変位し、また、両位置間の揺動を繰り返しながら測定テープ２の摺接繰出が許容される。そして、図３のように、測定テープ２の上記繰出しを停止し測定テープ２を手放すと、繰出された測定テープ２は、上記ゼンマイバネ４の巻取付勢力によって、巻取ドラム５に巻き戻されようとする。而して、ロックレバー７は、ロック解除操作ボタン８に軸部７ａを介し連繋され、板バネ８ｂの復元弾力によって、ロック解除操作ボタン８の支軸８ａを支点とした時計回りの回動及び軸部７ａの円弧溝１ｂに沿った摺動により測定テープ２の巻取方向に揺動付勢され、その先端作用部７ｂは、弾性摩擦部材７ｃを介して測定テープ２の表面に弾接される。従って、測定テープ２は、ロックレバー７の先端作用部７ｂａと本体ケース１の内壁部、即ち、凹部９ａとの間に緊合され、巻き戻されることなくこの位置で自動的にロック保持される。
【００２３】
図４に示すように、上記軸部７ａの軸心７ａ０と繰出部１ｃ内における測定テープ２の直線部２ｂとの最短距離Ｄは、ロックレバー７における軸心７ａ０と最長先端部間（弾性摩擦部材７ｃの突端部分）との間の長さＬより小とされているから、上記緊合は確実になされる。しかも、この緊合部位に対応する本体ケース１の内壁部が凹部９ａとされているから、ロックレバー７の先端作用部７ｂが測定テープ２を凹ませるようアンカー的に作用し、これに測定テープ２の巻き戻し力が付加され、その拘束効果が有効に発現されてより確実な緊合がなされる。更に、この緊合は、ロックレバー７の先端作用部７ｂと本体ケース１の内壁部、即ち、凹部９ａとの間でなされるから、前記従来例のように測定テープ２の繰出長さの影響を受けることなく安定した緊合状態とされる。
【００２４】
上記ロック状態を解除させるには、図３に示すように、板バネ８ｂの弾力に抗してロック解除操作ボタン８を手指にて矢示ａ方向に押圧操作する。これによって、ロックレバー７が軸部７ａを介し引き上げられるように動作し、ロックレバー７の先端作用部７ｂが測定テープ２の直線部２ｂから離れて上記拘束力が作用されなくなるから、測定テープ２は、ゼンマイバネ４の巻取付勢力によって、巻取ドラム５に巻き戻される。このロック解除は、上記緊合を解除する方向にロックレバー７を揺動させるだけであるから、前記従来例のような強い食い込み力に抗するものではなく確実になされる。そして、この巻き戻しの途中で、上記手指によるロック解除操作ボタン８の押圧操作を停止すると、ロック装置６によるロックが再度なされ、測定テープ２の所望長さの繰出ロック維持が簡易且つ的確になされる。
【００２５】
図５はロック装置６の望ましい形状の例を示すものであり、ロックレバー７の先端作用部７ｂの下面幅方向中央部には、切欠凹部７ｄが形成されている。該切欠凹部７ｄの両側部に上記弾性摩擦部材７ｃ、７ｃが添着されており、上記測定テープ２に緊合時には、この両側の弾性摩擦部材７ｃ、７ｃが測定テープ２に弾接し、中央の切欠凹部７ｄ部分には空間が形成される。従って、測定テープ２が図のようにコンベックステープであって、中央部に異物ｄ…が溜り易い場合でも、上記弾接部位にこの異物ｄ…が介在せず、測定テープ２の引き戻し時の異物ｄ…の噛み込みによる目盛面の傷付き発生が抑えられる。
【実施例２】
【００２６】
図６〜図１０は本発明の第２の実施形態の巻尺Ｂを示し、本巻尺Ｂも、硬質合成樹脂等により成型された２つ割りの本体ケース１内に、目盛が付された長尺の測定テープ２を巻取軸３周りに巻取り及び繰出し自在に収納してなり、鋼板製のコンベックステープからなる測定テープ２がゼンマイバネ４によって常時巻取軸３の周りに弾性的に巻取付勢され、巻取ドラム５の周囲に巻装されている点は上記と同様である。尚、図７〜図９においては、ゼンマイバネ４及び巻取ドラム５の図示を省略している。
【００２７】
本実施形態におけるロック装置１０は、測定テープ２の繰出部１ｃにおいて揺動可能に保持されたロックレバー１１と、該ロックレバー１１に連繋されたロック及びロック解除ボタン１２とよりなる。ロック及びロック解除ボタン１２は、巻取軸３に平行な支軸１２ａを介し、本体ケース１に対して該支軸１２ａの軸心周りに回動可能に支持され、更に、板バネ（弾性部材）１２ｂの弾力によって、支軸１２ａの軸心を中心として時計方向に常時回転付勢されている。該ロック及びロック解除ボタン１２の下端部（反板バネ１２ｂ側部）にはカム部１２ｃが形成され、該カム部１２ｃがロックレバー１１の上端基端部１１ａに弾接するようになされている。
【００２８】
ロックレバー１１は、コイルバネ１１ｂによって上向付勢状態で繰出部１ｃ内に縦方向に保持され、その上端の基端部１１ａは上記ロック及びロック解除ボタン１２のカム部１２ｃにカムフォロアー的に弾接する。尚、コイルバネ１１ｂとしては、上記板バネ１２ｂより弾力が弱いものが使用される。１ｄは、ロックレバー１１を縦方向に維持するためのガイド部であり、また、１ｅはコイルバネ１１ｂの台座部である。ロックレバー１１の下端作用部１１ｃには、上記同様弾性摩擦部材１１ｄが添着され、更に、図１０に示すように、第１の実施形態と同様の切欠凹部１１ｅが形成されている。この弾性摩擦部材１１ｄ及び切欠凹部１１ｅの機能は上記と同様であるので、ここではその作用の説明を割愛する。
【００２９】
図７は上記構成の巻尺Ｂにおける測定テープ２の繰出状態を示し、同図の白抜矢示方向に測定テープ２を引出してゆくと、上記ロックレバー１１の先端作用部１１ｃに添着された弾性摩擦部材１１ｄと測定テープ２の表面との摺接摩擦作用によって、ロックレバー１１は図の２点鎖線位置から実線位置に変位し、また、両位置間の揺動を繰り返しながら測定テープ２の摺接繰出が許容される。これに伴い、ロック及びロック解除ボタン１２も板バネ１２ｂの付勢力を受けて図の２点鎖線位置から実線位置に変位する。そして、図８のように、測定テープ２の上記繰出しを停止し測定テープ２を手放すと、繰出された測定テープ２は、上記ゼンマイバネ４の巻取付勢力によって、巻取ドラム５に巻き戻されようとする。
【００３０】
而して、ロックレバー１１の上端基端部１１ａは、ロック及びロック解除ボタン１２のカム部１２ｃに弾接し、板バネ１２ｂの弾力がカム部１２ｃに作用しているから、ロックレバー１１は下向き付勢状態で静止し、その先端作用部１１ｃは、弾性摩擦部材１１ｄを介して測定テープ２の表面に弾接される。従って、測定テープ２は、ロックレバー１１の先端作用部１１ｃと本体ケース１の内壁部、即ち、上記と同様の凹部９ａとの間に緊合され、巻き戻されることなくこの位置で自動的にロック保持される。これによって、測定テープ２の自動ロック手段が構成される。
【００３１】
この自動ロック状態は、測定テープ２の繰出し方向には拘束力が小さい状態（フリー状態）であるから、前記したように測定テープ２を不意に持ち上げ或いは強く引張ったりすると、測定テープ２が繰出されてしまい、所望のロック位置がずれてしまう。そこで、図９に示すように、ロック及びロック解除ボタン１２を図の矢示ｂ方向に押圧操作すると、カム部１２ｃのロックレバー１１の上端基端部１１ａに対するカム作用によって、ロックレバー１１が押下げられ、先端作用部１１ｃは測定テープ２の表面に強く緊合される。この状態は、支軸１２ａの軸心と、カム部１２ｃの最高部と上端基端部１１ａとの弾接部と、先端作用部１１ｃの測定テープ２の表面に対する緊合部とが略直線的に整合し、板バネ１２ｂの弾力によるカム部１２ｃでのカム力がこれにトグル的にバランスした状態であるから安定し、測定テープ２は繰出方向及び巻取方向のいずれにも移動不能に維持される。これによって、測定テープ２の完全ロック手段が構成される。従って、上記のような測定テープ２の不意の繰出が防止され、測定作業時における繰出位置の維持が確実になされ、繰出位置のずれによって作業効率が妨げられることもない。
【００３２】
そして、図９に示すようにロック及びロック解除ボタン１２を板バネ１２ｂの弾力に抗して矢示ｃ方向に押圧操作すると、カム部１２ｃの上記とは反方向のカム作用とコイルバネ１１ｂの弾力によりロックレバー１１が浮上するよう動作し、先端作用部１１ｃの測定テープ２に対する緊合が解除され、測定テープ２はゼンマイバネ４の巻取付勢力によって、巻取ドラム５に巻き戻される。その他の構成は上記と同様であるので共通部分に同一の符号を付し、その説明を割愛する。
【実施例３】
【００３３】
図１１〜図１４は本発明の第３の実施形態の巻尺Ｃを示し、本巻尺Ｃも、硬質合成樹脂等により成型された２つ割りの本体ケース１内に、目盛が付された長尺の測定テープ２を巻取軸３周りに巻取り及び繰出し自在に収納してなり、鋼板製のコンベックステープからなる測定テープ２がゼンマイバネ４によって常時巻取軸３の周りに弾性的に巻取付勢され、巻取ドラム５の周囲に巻装されている点は上記と同様である。図例の巻尺Ｃは、第１の実施形態の巻尺Ａと形状的に類似するが、自動ロック手段と完全ロック手段とを備えている点で異なる。
【００３４】
本実施形態におけるロック装置１３は、ロックレバー１４と、該ロックレバー１４に連繋されたロック及びロック解除操作ボタン１５とよりなり、いずれも硬質合成樹脂の成型体からなる。該ロックレバー１４の上端基端部には軸部１４ａが形成されている。また、ロック及びロック解除操作ボタン１５は、上記巻取軸３と平行な支軸１５ａを介し、本体ケース１に対し該支軸１５ａ周りに回動可能に支持されている。ロック及びロック解除操作ボタン１５の下端には、上記軸部１４ａを挿入保持するスリット１５ｂが形成され、この挿入保持された状態の軸部１４ａの両端は、本体ケース１に形成された円弧溝（曲率中心は支軸１５ａの軸心）１ｂに挿通され、該円弧溝１ｂの長手方向に沿って摺動可能とされている。これにより、ロックレバー１４とロック解除操作ボタン１５とが連繋される。
【００３５】
そして、ロックレバー１４と上記本体ケース１との間に板バネ（弾性部材）１４ｂが弾装され、これによってロックレバー１４は、測定テープ繰出部１ｃにおいて、常時測定テープ２の巻取方向に揺動付勢されている。ロックレバー１４は、その幅方向両側縁部の中間部に、前記リールガイド板５ａ、５ａの周縁部に対向する当接部１４ｃ、１４ｃを備え、該当接部１４ｃ、１４ｃにはゴム等の弾性摩擦部材が添着されている。また、ロックレバー１４の先端作用部１４ｄには、上記同様ゴム等からなる弾性摩擦部材１４ｅが添着されている。該先端作用部１４ｄの下面幅方向中央部には、図１４に示すように上記同様の切欠凹部１４ｆが形成されており、この切欠凹部１４ｆの両側部に上記弾性摩擦部材１４ｅ、１４ｅが添着されている。これら切欠凹部１４ｆ及び弾性摩擦部材１４ｅ、１４ｅによる作用は上記と同様であるので、ここでもその説明を割愛する。
【００３６】
図１２は上記構成の巻尺Ｃにおける測定テープ２の繰出状態を示し、同図の白抜矢示方向に測定テープ２を引出してゆくと、上記ロックレバー１４の先端作用部１４ｄに添着された弾性摩擦部材１４ｅと測定テープ２の表面との摺接摩擦作用によって、ロックレバー１４は板バネ１４ｂの弾力に抗して図の２点鎖線位置から実線位置に変位し、また、両位置間の揺動を繰り返しながら、更には、当接部１４ｃ、１４ｃがリールガイド板５ａ、５ａの周縁部に対して摺接・離反を繰り返しながら、測定テープ２の繰出が許容される。そして、図１３のように、測定テープ２の上記繰出しを停止し測定テープ２を手放すと、繰出された測定テープ２は、上記ゼンマイバネ４の巻取付勢力によって、巻取ドラム５に巻き戻されようとする。
【００３７】
而して、ロックレバー１４は、ロック解除操作ボタン１５に軸部１４ａを介し連繋され、板バネ１４ｂの復元弾力によって、ロック解除操作ボタン１５の支軸１５ａを支点とした時計回りの回動及び軸部１４ａの円弧溝１ｂに沿った摺動により測定テープ２の巻取方向に揺動付勢され、当接部１４ｃ、１４ｃがリールガイド板５ａ、５ａの周縁部に弾接緊合される。この弾接緊合により、ゼンマイバネ４の巻取付勢力による巻取ドラム５及びリールガイド板５ａ、５ａの回転が阻止され、測定テープ２は、巻き戻されることなくこの位置で自動的にロック保持される。これによって、自動ロック手段が構成される。
【００３８】
この自動ロック状態は、上述の通り、測定テープ２の繰出し方向には拘束力が小さい状態（フリー状態）であるから、測定テープ２を不意に持ち上げ或いは強く引張ったりすると、測定テープ２が繰出されてしまい、所望のロック位置がずれてしまう。そこで、図１３の矢示ｄ方向にロック及びロック解除ボタン１５を押圧操作すると、軸部１４ａがスリット１５ｂ及び円弧溝１ｂに規制されて、ロックレバー１４が２点鎖線で示すように押下げられ、先端作用部１４ｄは測定テープ２の表面に強く緊合される。この状態は、支軸１５ａの軸心と、軸部１４ａの軸心と、先端作用部１４ｄの測定テープ２の表面に対する緊合部とが略直線的に整合してトグル的にバランスすると共に板バネ１４ｂの弾力により当接部１４ｃ、１４ｃがリールガイド板５ａ、５ａの周縁部に強く弾接緊合した状態であるから安定し、測定テープ２は繰出方向及び巻取方向のいずれにも移動不能に維持される。これによって、測定テープ２の完全ロック手段が構成される。従って、上記のような測定テープ２の不意の繰出が防止され、測定作業時における繰出位置の維持が確実になされ、繰出位置のずれによって作業効率が妨げられることもない。
【００３９】
そして、図１３に示すようにロック及びロック解除ボタン１５を板バネ１４ｂの弾力に抗して矢示ｅ方向に押圧操作すると、スリット１５ｂ及び円弧溝１ｂの軸部１４ａに対する規制作用によって、ロックレバー１４が引き上げられ且つ当接部１４ｃ、１４ｃがリールガイド板５ａ、５ａの周縁部から引き離されるよう動作し、上記全ての緊合が解除される。従って、測定テープ２はゼンマイバネ４の巻取付勢力によって、巻取ドラム５に巻き戻される。
【００４０】
本実施形態では、自動ロックが当接部１４ｃ、１４ｃのリールガイド板５ａ、５ａの周縁部に対する弾接緊合によってなされるから、測定テープ２の表面の目盛等が付された塗装面に対するダメージが少なく、経時的な塗装面の剥離耐久性が向上する。その他の構成は上記と同様であるので共通部分に同一の符号を付し、ここでもその説明を割愛する。
【００４１】
尚、上記各実施例における板バネ８ｂ、１２ｂ及び１４ｂに代え、圧縮コイルバネ等、その他の弾性部材を採用し得ることは言うまでもない。また、ロック装置６、１０、１３の形状や、巻尺Ａ、Ｂ、Ｃの外形状は図例のものに限定されないことも当然である。更に、本体ケース１やロック装置６、１０、１３も硬質合成樹脂の成型体に限定されず、軽金属の成型体等であっても良いことは言うまでもない。
【図面の簡単な説明】
【００４２】
【図１】本発明の巻尺の第１の実施形態を示す部分切欠横断平面図である。
【図２】同巻尺における測定テープの繰出状態を示す同様図である。
【図３】同繰出位置で測定テープを自動ロックした状態を示す同様図である。
【図４】自動ロックの原理を示す概念図である。
【図５】同巻尺におけるロック装置を示す図１のＸ線矢示部分断面図である。
【図６】本発明の巻尺の第２の実施形態を示す部分切欠横断平面図である。
【図７】同巻尺における測定テープの繰出状態を示す同様図である。
【図８】同繰出位置で測定テープを自動ロックした状態を示す同様図である。
【図９】同繰出位置で測定テープを完全ロックした状態を示す同様図である。
【図１０】同巻尺におけるロック装置を示す図６のＹ線矢示部分断面図である。
【図１１】本発明の巻尺の第３の実施形態を示す部分切欠横断平面図である。
【図１２】同巻尺における測定テープの繰出状態を示す同様図である。
【図１３】同繰出位置で測定テープを自動ロックした状態を示す同様図である。
【図１４】同巻尺におけるロック装置を示す図１１のＺ線矢示部分断面図である。
【符号の説明】
【００４３】
１      本体ケース
１ｂ    測定テープ繰出部
２      測定テープ
３      巻取軸
４      ゼンマイバネ（巻取付勢手段）
５      テープ巻取リール（巻取ドラム）
５ａ    リールガイド板
６、１０、１３      ロック装置
７、１１、１４      ロックレバー
７ｂ、１１ｃ、１４ｄ    先端作用部
７ｃ、１１ｄ、１４ｅ    弾性摩擦部材
７ｄ、１１ｅ、１４ｆ    切欠凹部
８      ロック解除操作ボタン
８ｂ、１２ｂ、１４ｂ    板バネ（弾性部材）
９ａ    凹部（内壁部）
１１ａ  ロックレバーの基端部
１２、１５    ロック及びロック解除操作ボタン
１４ｃ  当接部
Ａ、Ｂ、Ｃ    巻尺
【図１】
2007057339.tif 000003
【図２】
2007057339.tif 000004
【図３】
2007057339.tif 000005
【図４】
2007057339.tif 000006
【図５】
2007057339.tif 000007
【図６】
2007057339.tif 000008
【図７】
2007057339.tif 000009
【図８】
2007057339.tif 000010
【図９】
2007057339.tif 000011
【図１０】
2007057339.tif 000012
【図１１】
2007057339.tif 000013
【図１２】
2007057339.tif 000014
【図１３】
2007057339.tif 000015
【図１４】
2007057339.tif 000016